(57)【要約】【課題】開閉枠部材の開放中に誤って発射球が遊技機外に発射されるトラブルを防止し、遊技機のメンテナンス作業を行いやすい遊技機を提供する。【解決手段】遊技領域が形成された遊技盤が取り付けられる前面枠と、前記前面枠に対して開閉可能に取り付けられ遊技球を貯留可能な貯留皿を備える開閉部材と、前記貯留皿に貯留された遊技球を前記遊技盤の遊技領域へ発射する発射装置と、遊技者の操作によって前記発射装置を作動させる発射操作部と、を備え、前記発射装置が前記開閉部材に設けられている遊技機において、前記開閉部材の開放状態を検出する開放検出手段と、前記開放検出手段によって前記開閉部材が前記前面枠から開放されていることを検出した場合に、前記発射装置による遊技球の発射を規制する発射規制手段と、を備える。【選択図】図７
2007289476.tif 000002
【特許請求の範囲】
【請求項１】
遊技領域が形成された遊技盤が取り付けられる前面枠と、
前記前面枠に対して開閉可能に取り付けられ遊技球を貯留可能な貯留皿を備える開閉部材と、
前記貯留皿に貯留された遊技球を前記遊技盤の遊技領域へ発射する発射装置と、
遊技者の操作によって前記発射装置を作動させる発射操作部と、
を備え、
前記発射装置が前記開閉部材に設けられている遊技機において、
前記開閉部材の開放状態を検出する開放検出手段と、
前記開放検出手段によって前記開閉部材が前記前面枠から開放されていることを検出した場合に、前記発射装置による遊技球の発射を規制する発射規制手段と、
を備えることを特徴とする遊技機。
【請求項２】
前記前面枠は、前記開閉部材側に突出する突出部材を備え、
前記開放検出手段は、前記突出部材が該開放検出手段に近接していることを検出する検出部材によって構成されていることを特徴とする請求項１に記載の遊技機。
【請求項３】
前記突出部材は、導電性素材の接触作用部を備え、
前記検出部材は、前記接触作用部が接触すると該接触作用部と導通する導電性素材の導通検出部を備え、
前記開放検出手段は、前記検出部材の導通状態によって前記開閉部材の開放状態を検出することを特徴とする請求項２に記載の遊技機。
【請求項４】
前記開閉部材は、閉止状態のときに前記突出部材が挿入される位置に凹部が形成され、
前記開放検出手段は、前記凹部内に設けられていることを特徴とする請求項２又は３に記載の遊技機。
【請求項５】
前記開閉部材は前記前面枠と係合するための係合部を備え、
前記前面枠は前記係合部と係合する被係合部を備え、
前記係合部は、前記検出部材の近傍に配置されていることを特徴とする請求項２から４のいずれか一つに記載の遊技機。
【請求項６】
前記開閉部材は、前記発射操作部を備えてユニットして構成されるとともに、
前記前面枠に対して軸着するための軸着部と、
前記軸着部が前記前面枠に軸着されているか否かを検出する軸着検出手段と、を備え、
前記軸着検出手段によって前記軸着部が前記前面枠に軸着されていないことを検出した場合は、前記開放検出手段によって前記開閉部材が前記前面枠から開放されていると検出したときでも、前記発射装置による遊技球の発射を規制しないことを特徴とする請求項１から５のいずれか一つに記載の遊技機。
【請求項７】
前記前面枠は、前記開閉部材の軸着部と係合する導電性素材のコ字状の被軸着部を備え、
前記開閉部材の軸着部は、両端に互いに絶縁状態である導電性素材の導電部が形成され、
前記軸着検出手段は、前記軸着部の両端に形成された導電部同士が、前記被軸着部を介して導通状態となることによって、前記軸着部が前記前面枠に軸着されていることを検出することを特徴とする請求項６に記載の遊技機。
【発明の詳細な説明】
【技術分野】
【０００１】
本発明は、遊技機に関し、特に、パチンコ機の球発射機構の配置構造に関する。
【背景技術】
【０００２】
従来、外枠部材に装着された前面枠と、該前面枠の窓穴に配置された遊技盤と、該窓穴の前面に開閉可能に配設されたガラス扉と、該ガラス扉の下方に開閉可能に配設され、前面に遊技球を貯留可能な球受皿部を設けた開閉枠部材とを備え、上記開閉枠部材に球発射機構を配設したパチンコ機がある。このようなパチンコ機では、開閉枠部材側に設けた球発射機構によって遊技球の分離供給及び発射をすることによって、構造が簡素化されている。また開閉枠部材側と前面枠側との連係関係も不要となることによって、前面枠と開閉枠部材との組み付け構造が簡素化されている（例えば、特許文献１参照。）。
【特許文献１】特開平０６−１７８８５９号公報
【発明の開示】
【発明が解決しようとする課題】
【０００３】
従来のパチンコ機では、球発射機構は開閉枠部材に設けられている（例えば、特許文献１の図４参照）。そのため、開閉枠部材を前面枠から開放すると、前面枠側の発射路と、開閉枠部材側の誘導路とが分離する。この状態で球発射機構が作動した場合、遊技球が分離した誘導路の先端からパチンコ機の外へ飛び出してしまう。
【０００４】
なお遊技店で営業中に球詰まりなどが発生すると、遊技店の店員等によって開閉枠部材を開放してメンテナンス作業が行われる。このとき、従来のパチンコ機では、開閉枠部材の開放中に球発射機構が作動すると遊技球がパチンコ機の外へ飛び出してしまうので、操作ハンドルに手を触れないように神経を使わなければならず、メンテナンス作業の障害になるという問題があった。
【０００５】
そこで本発明は、開閉枠部材の開放中に誤って発射球が遊技機外に発射されるトラブルを防止し、遊技機のメンテナンス作業を行いやすい遊技機を提供することを目的とする。
【課題を解決するための手段】
【０００６】
第１の発明は、遊技領域が形成された遊技盤が取り付けられる前面枠と、前記前面枠に対して開閉可能に取り付けられ遊技球を貯留可能な貯留皿を備える開閉部材と、前記貯留皿に貯留された遊技球を前記遊技盤の遊技領域へ発射する発射装置と、遊技者の操作によって前記発射装置を作動させる発射操作部と、を備え、前記発射装置が前記開閉部材に設けられている遊技機において、前記開閉部材の開放状態を検出する開放検出手段と、前記開放検出手段によって前記開閉部材が前記前面枠から開放されていることを検出した場合に、前記発射装置による遊技球の発射を規制する発射規制手段と、を備える。
【０００７】
第２の発明は、第１の発明において、前記前面枠は、前記開閉部材側に突出する突出部材を備え、前記開放検出手段は、前記突出部材が該開放検出手段に近接していることを検出する検出部材によって構成されている。
【０００８】
第３の発明は、第２の発明において、前記突出部材は、導電性素材の接触作用部を備え、前記検出部材は、前記接触作用部が接触すると該接触作用部と導通する導電性素材の導通検出部を備え、前記開放検出手段は、前記検出部材の導通状態によって前記開閉部材の開放状態を検出する。
【０００９】
第４の発明は、第２又は第３の発明において、前記開閉部材は、閉止状態のときに前記突出部材が挿入される位置に凹部が形成され、前記開放検出手段は、前記凹部内に設けられている。
【００１０】
第５の発明は、第２から第４の発明において、前記開閉部材は前記前面枠と係合するための係合部を備え、前記前面枠は前記係合部と係合する被係合部を備え、前記係合部は、前記検出部材の近傍に配置されている。
【００１１】
第６の発明は、第１から第５の発明において、前記開閉部材は、前記発射操作部を備えてユニットして構成されるとともに、前記前面枠に対して軸着するための軸着部と、前記軸着部が前記前面枠に軸着されているか否かを検出する軸着検出手段と、を備え、前記軸着検出手段によって前記軸着部が前記前面枠に軸着されていないことを検出した場合は、前記開放検出手段によって前記開閉部材が前記前面枠から開放されていると検出したときでも、前記発射装置による遊技球の発射を規制しない。
【００１２】
第７の発明は、第６の発明において、前記前面枠は、前記開閉部材の軸着部と係合する導電性素材のコ字状の被軸着部を備え、前記開閉部材の軸着部は、両端に互いに絶縁状態である導電性素材の導電部が形成され、前記軸着検出手段は、前記軸着部の両端に形成された導電部同士が、前記被軸着部を介して導通状態となることによって、前記軸着部が前記前面枠に軸着されていることを検出する。
【発明の効果】
【００１３】
第１の発明によれば、遊技領域が形成された遊技盤が取り付けられる前面枠と、前記前面枠に対して開閉可能に取り付けられ遊技球を貯留可能な貯留皿を備える開閉部材と、前記貯留皿に貯留された遊技球を前記遊技盤の遊技領域へ発射する発射装置と、遊技者の操作によって前記発射装置を作動させる発射操作部と、を備え、前記発射装置が前記開閉部材に設けられている遊技機において、前記開閉部材の開放状態を検出する開放検出手段と、前記開放検出手段によって前記開閉部材が前記前面枠から開放されていることを検出した場合に、前記発射装置による遊技球の発射を規制する発射規制手段とを備えるので、開閉部材の開放中は発射装置が作動しないため遊技球が不用意に発射されることがない。
【００１４】
第２の発明によれば、前記前面枠は、前記開閉部材側に突出する突出部材を備え、前記開放検出手段は、前記突出部材が該開放検出手段に近接していることを検出する検出部材によって構成されているので、前面枠側の突出部材及び開放部材側の検出部材という簡素な構造で、開閉部材の開放中の遊技球の不用意な発射を防止することができる。
【００１５】
第３の発明によれば、前記突出部材は、導電性素材の接触作用部を備え、前記検出部材は、前記接触作用部が接触すると該接触作用部と導通する導電性素材の導通検出部を備え、前記開放検出手段は、前記検出部材の導通状態によって前記開閉部材の開放状態を検出するので、導通性素材の接触作用部が検出部材に触れない限り開放検出手段が作動しないため、例えば、押圧によって検出する構造と比較して、メンテナンス作業中に係員が検出部材に触れて発射装置が誤作動してしまう可能性が少なくなる。
【００１６】
第４の発明によれば、前記開閉部材は、閉止状態のときに前記突出部材が挿入される位置に凹部が形成され、前記開放検出手段は、前記凹部内に設けられているので、検出部材が凹部内に設けられているため、メンテナンス作業中に係員の体が検出部材に誤って触れてしまうことを防止できる。
【００１７】
第５の発明によれば、前記開閉部材は前記前面枠と係合するための係合部を備え、前記前面枠は前記係合部と係合する被係合部を備え、前記係合部は、前記検出部材の近傍に配置されているので、係合部の作用によって開閉部材の閉止時の検出部材と突出部材との相対的な位置が安定し、検出部材と突出部材との近接の検出部材による検出が確実になる。
【００１８】
第６の発明によれば、前記開閉部材は、前記発射操作部を備えてユニットして構成されるとともに、前記前面枠に対して軸着するための軸着部と、前記軸着部が前記前面枠に軸着されているか否かを検出する軸着検出手段と、を備え、前記軸着検出手段によって前記軸着部が前記前面枠に軸着されていないことを検出した場合は、前記開放検出手段によって前記開閉部材が前記前面枠から開放されていると検出したときでも、前記発射装置による遊技球の発射を規制しないので、開閉部材を前面枠に取り付けなくても、ユニット化された開閉部材単体で発射装置の作動が可能になり、製造時の検査作業の効率化を図ることができる。
【００１９】
第７の発明によれば、前記前面枠は、前記開閉部材の軸着部と係合する導電性素材のコ字状の被軸着部を備え、前記開閉部材の軸着部は、両端に互いに絶縁状態である導電性素材の導電部が形成され、前記軸着検出手段は、前記軸着部の両端に形成された導電部同士が、前記被軸着部を介して導通状態となることによって、前記軸着部が前記前面枠に軸着されていることを検出するので、軸着部及び被軸着部によって開閉部材が前面枠に軸着されるとともに、軸着部及び被軸着部の導通状態によって軸着状態を検出することができるため、設計上経済的である。
【発明を実施するための最良の形態】
【００２０】
以下、本発明の実施の形態について説明する。
【００２１】
（第１の実施の形態）
図１は、本発明の第１の実施の形態の遊技機（パチンコ機）１の正面図である。
【００２２】
遊技機１の本体枠２には、前面枠３の一側がヒンジ４ａ及び４ｂを介して開閉回動可能に取り付けられる。
【００２３】
前面枠３は、遊技領域７が形成された遊技盤５を収納する額縁状の枠体である。詳しくは図２において説明するが、前面枠３は、ヒンジ４ａ及び４ｂによって本体枠２に取り付けられている。
【００２４】
前面枠３には、上部にガラス枠９がヒンジ４４ａ及び４４ｂ（図２参照）を介して開閉回動可能に取り付けられている。ガラス枠９の前面は、略円形状の開口部１１が形成されている。ガラス枠９には、裏面側からカバーガラス１２が組み込まれている。よって、ガラス枠９を閉じた状態で遊技機１を前面視した場合、遊技盤５の前面はカバーガラス１２で透視可能な状態に覆われている。
【００２５】
前面枠３の要所には、装飾発光装置１５及び音出力装置（スピーカ）２６が設けられる。装飾発光装置１５は、発光演出や報知動作等に用いられるランプやＬＥＤ等から構成され、大当り遊技状態等のイベント発生時や異常発生時に、遊技機１の遊技状態に対応して発光する。音出力装置２６は、演出用効果音の出力や音声報知等に用いられる。
【００２６】
また、前面枠３には、下部に開閉パネル部材１７が、後述する軸着部５０及び被軸着部３７（図６参照）によって開閉回動可能に取り付けられている。開閉パネル部材１７には、遊技球を発射装置４０２に案内する球貯留皿１６並びに遊技球を遊技領域７に発射する発射装置４０２（図４参照）及び遊技者が発射装置４０２を操作する発射操作部１９が配設される。
【００２７】
発射装置４０２は遊技球の発射手段であり、発射制御装置４００（図７参照）によって制御される。遊技球は球供給皿１６から発射装置４０２へと供給され、発射操作部１９の回動操作にしたがって発射される。また、発射操作部１９は、発射操作検出スイッチ１９ａ（図７参照）に接続されている。発射操作検出スイッチ１９ａは、遊技者による発射操作部１９の回動操作量を検出する。
【００２８】
発射操作部１９には触接検出部１９１が設けられる。触接検出部１９１は、触接検出スイッチ１９１ａを備え、遊技者の手が発射操作部１９に触れていることを、触接検出スイッチ１９１ａによって検出する。この検出がないときには、発射制御装置４００は遊技球を発射する制御をしないため、発射装置４０２からの遊技球は発射されない。
【００２９】
一般入賞口（図示省略）、始動入賞口（図示省略）及び特別変動入賞装置（図示省略）に遊技球が入賞すると、入賞した入賞口の種類に応じた数の賞球が、遊技機１内部に設けられた払出ユニット（図示省略）から球貯留皿１６に排出される。また、遊技機１に接続されたカードユニット（図示省略）の球貸要求に応じた個数の遊技球が、払出ユニットから球貯留皿１６に排出される。
【００３０】
これらの遊技球は、遊技機１の背面に設けられた補給タンク（図示省略）に貯留されており、補給タンクから払出ユニットに供給されている。
【００３１】
球貯留皿１６の上縁には、カードユニットに挿入されたプリペイドカードの残高を表示するカード残高表示部２１、遊技球の貸し出しを指令する球貸スイッチ２２、及び、プリペイドカードの返却を指令するカード返却スイッチ２３が設けられる。
【００３２】
また、球貯留皿１６の側縁には、球貯留皿１６に貯留された遊技球を下方へ排出するための返却レバー２４が設けられる。そして、返却レバー２４を操作することによって、球貯留皿１６に貯留された遊技球を排出することができる。球貯留皿１６の下方には、図示しない膳板（カウンタ）が備えられている。この膳板には、遊技球貯留箱を置くことができる。球貯留皿１６から下方に排出された遊技球は、当該遊技球貯留箱に貯留される。また、球貯留皿１６の左下には灰皿２７が設けられる。
【００３３】
次に、遊技機１の内部の構成について説明する。
【００３４】
図２は、本発明の第１の実施の形態のガラス枠９及び開閉パネル部材１７が取り外された前面枠３の正面図である。
【００３５】
前面枠３は、前述したように、本体枠２が備えるヒンジ４ａ及び４ｂによって本体枠２に取り付けられている。前面枠３の左側上部に設けられたヒンジ１４ｂのヒンジ孔は、本体枠２の左側上部に設けられたヒンジ４ｂのヒンジ軸に、左側下部に設けられたヒンジ１４ａのヒンジ孔は、左側下部に設けられたヒンジ４ａのヒンジ軸に、それぞれ嵌合可能である。これによって、嵌合時には前面枠３の左側が軸着側となり、右側が開放側となる。
【００３６】
また、ガラス枠９は、ヒンジによって前面枠３に取り付け可能であり、ガラス枠９の左側上部に設けられるヒンジ（図示省略）のヒンジ孔及び左側下部に設けられるヒンジ（図示省略）のヒンジ孔は、前面枠３の左側上部に設けられたヒンジ４４ｂのヒンジ軸（図示省略）及び後述する被軸着部３７の上面に設けられたヒンジ４４ａのヒンジ軸４４ａ１（図５）にそれぞれ嵌合可能である。これによって、嵌合時にはガラス枠９の左側が軸着側となり、右側が開放側となる。
【００３７】
また、開閉パネル部材１７は、開閉パネル部材１７が備える後述する軸着部５０及び前面枠３が備える被軸着部３７によって前面枠３に取り付け可能である。開閉パネル部材１７の前面枠３への取付構造は、詳しくは図６において説明する。さらに、開閉パネル部材１７の下部には、図３において後述する係止受け部３４及び３６並びに図４において後述する球送り機構１８が設けられている。
【００３８】
遊技盤５は、遊技盤ベース及び遊技盤ベースの四隅に各々取付けられた樹脂製の区画部材４５によって構成される。遊技盤５の表面には、区画部材４５で区画されることによって、略円形状の遊技領域７が形成される。区画部材４５は、発射装置４０２から発射された遊技球を遊技領域７へ案内するガイドレール６ａ及び発射通路８及び遊技領域７の発射通路８側を区画するガイドレール６ｂを備える。
【００３９】
この遊技盤５は、機種毎に異なるデザイン（機種毎に仕様が異なる）が施されているが、本体枠２は機種全般で共通して利用可能なように構成されている。よって、遊技機１の機種を交換する場合、遊技場は、本体枠２は交換することなく島設備に残し、遊技盤５、遊技制御装置及び表示制御装置のみを新たな機種のものに交換すればよい。
【００４０】
遊技領域７には、ＬＣＤ（液晶表示器）によって構成された画像表示装置（図示省略）がほぼ中央に配置される。
【００４１】
このＬＣＤの表示画面には、複数の変動表示領域が設けられており、各変動表示領域に識別情報（装飾図柄）や特図変動表示ゲームを演出するキャラクタ等、特図変動表示ゲームに関する画像が表示される。すなわち、表示画面の左、中及び右に設けられた変動表示領域には、識別情報として割り当てられた装飾図柄（例えば、「０」〜「９」までの数字及び「Ａ」、「Ｂ」の英文字による１２種類の図柄）が変動表示して特図変動表示ゲームが行われる。その他、表示画面には遊技の進行に基づく画像（例えば、大当り表示、ファンファーレ表示又はエンディング表示等）が表示される。
【００４２】
また、遊技領域７には、図示しない始動入賞口（入賞部）、方向転換部材、普通図柄始動ゲート、複数の一般入賞口及び二つの特別変動入賞装置等が設けられる。
【００４３】
また、前面枠３には、特図変動表示ゲームの特図表示部及び特図記憶表示部からなる特図表示器（図示省略）が設けられる。また、前面枠３には、普図変動表示ゲームの普図表示部及び普図記憶表示部からなる普図表示器（図示省略）が設けられる。
【００４４】
遊技機１では、発射装置４０２から遊技領域７に向けて遊技球（パチンコ球）が打ち出されることによって遊技が行われる。打ち出された遊技球は、ガイドレール６ａに案内されながら発射通路８を経て遊技領域７に到達し、遊技領域７内の各所に配置された釘や風車等の方向転換部材によって転動方向を変えながら遊技領域７を流下する。そして、一般入賞口、始動入賞口又は特別変動入賞装置に入賞するか、遊技領域７の最下部に設けられたアウト口５７から排出される。
【００４５】
一般入賞口への遊技球の入賞は、各一般入賞口に備えられた入賞口センサ（図示省略）によって検出される。
【００４６】
始動入賞口への遊技球の入賞は、特図始動センサ（図示省略）によって検出される。この遊技球の通過タイミングによって抽出された特別図柄乱数カウンタ値は、遊技制御装置内の特図記憶領域に特別図柄入賞記憶として所定回数（例えば、最大で４回分）を限度に記憶される。そして、この特別図柄入賞記憶の記憶数は、特図記憶表示部に表示される。遊技制御装置は、特別図柄入賞記憶に基づいて、特図表示部にて特図変動表示ゲームを行う。
【００４７】
始動入賞口へ遊技球の入賞があると、画像表示装置では、前述した数字等で構成される装飾図柄（識別情報）が順に変動表示して、特図変動表示ゲームに関する画像が表示される。つまり、画像表示装置では、特図表示部の表示に対応する装飾図柄の変動表示が行われる。特図表示部は、変動表示状態と変動表示結果とを遊技者に正確に知らしめる役割を有し、画像表示装置は、興趣向上のために多様な表示を演出する役割を有する。
【００４８】
始動入賞口への入賞が所定のタイミングでなされたとき（具体的には、入賞検出時の特別図柄乱数カウンタ値が当り値であるとき）には大当り遊技状態となり、表示図柄が特定の結果態様を導出する。具体的には、特図表示部は、当り図柄である一桁の特別図柄で停止して、画像表示装置は、三つの装飾図柄が揃った状態（大当り図柄）で停止する。
【００４９】
このとき特別変動入賞装置が、大入賞口ソレノイド（図示省略）への通電によって、所定の時間（例えば、３０秒）だけ、遊技球を受け入れない閉状態から遊技球を受け入れやすい開状態に変換される。
【００５０】
すなわち、特別変動入賞装置が所定の時間だけ大きく開くので、この間遊技者は多くの遊技球を獲得することができるという遊技価値が付与される。
【００５１】
普通図柄始動ゲートへの遊技球の通過は、普図始動ゲートセンサ（図示省略）で検出される。この遊技球の通過タイミングによって抽出された普通図柄乱数カウンタ値は、遊技制御装置内の普図記憶領域に普通図柄入賞記憶として所定回数（例えば、最大で４回分）を限度に記憶される。そして、この普通図柄入賞記憶の記憶数は、普図記憶表示部に表示される。
【００５２】
普通図柄始動ゲートを遊技球が通過すると、普通図柄入賞記憶に基づいて普図表示部で普図変動表示ゲームが開始される。すなわち、普通図柄始動ゲートへの通過検出が所定のタイミングでなされたとき（具体的には、通過検出時の普通図柄乱数カウンタ値が当り値であるときには）には普通図柄の当り状態となり、普図表示部に表示される普通図柄が当り状態で停止する。このとき、図示しない普通変動入賞装置は、普通電動役物ソレノイド（図示省略）への通電によって、所定の時間だけ拡開するように変換される。
【００５３】
次に、開閉パネル部材１７の裏面の構成について説明する。
【００５４】
図３は、本発明の第１の実施の形態の開閉部材として例示する開閉パネル部材１７の背面斜視図である。
【００５５】
開閉パネル部材１７の裏面（図３の手前側）には、係止部１７１及び１７６、連動部材１７３、弾性部材１７４、開放検出部１７５、発射装置４０２、球送り機構１８並びに軸着部５０が配置されている。
【００５６】
係止部１７１は、可動部１７１ａを備えている。可動部１７１ａは、係止部１７１にバネによって上方に付勢するように固定されている。また、係止部１７６は、可動部１７６ａを備えている。可動部１７６ａは、係止部１７６にバネによって上方に付勢するように固定されている。
【００５７】
係止部（係合部）１７１は、図５において後述する係止受け部（被係合部）３６と係合する。係止部１７６は、図５において後述する係止受け部３８と係合する。これらによって、前面枠３に軸着された開閉パネル部材１７が閉止状態に固定される。可動部１７１ａは、係止解除部１７１ｂを備える。さらに可動部１７１ａ及び１７６ａは、連動部材１７３によって連動するように接続されている。
【００５８】
係止解除部１７１ｂが押し下げ操作されると、可動部１７１ａ及び可動部１７１ａに連動する可動部１７６ａが共に下降することによって、係止部１７１及び係止受け部３８の係合並びに係止部１７６及び係止受け部３６の係合が解除される。これによって、開閉パネル部材１７の開放が可能になる。
【００５９】
弾性部材１７４は、例えばバネ等の弾性体を備え、開閉パネル部材１７を閉鎖するとき等に開閉パネル部材１７及び前面枠３が衝突して生じる衝撃を吸収することによって、遊技機１を構成する装置の破損を防止する。
【００６０】
また、開閉パネル部材１７が閉止状態のときに、弾性部材１７４が備える弾性体から生じる開閉パネル部材１７と前面枠３との間の反発力によって、係止されている開閉パネル部材１７と前面枠３との間隔を一定に保つことが可能となり、開閉パネル１７が前面枠３に安定的に固定される。
【００６１】
開放検出部１７５は、断面が四角形の筒状に形成され、内側に備える開放検出スイッチ１７５ａ（図８参照）によって開閉パネル部材１７の開放を検出する。開放検出部１７５の構成については、詳しくは図８において説明する。
【００６２】
また、開閉パネル部材１７は、発射制御装置４００と電気的に接続するためのコネクタ１７９を備える。コネクタ１７９が前面枠３の備えるコネクタ４０９と接続されることによって、開閉パネル部材１７の備える発射装置４０２、球送り機構１８及び開放検出部１７５等の構成要素が、発射制御装置４００と接続される。
【００６３】
発射装置４０２は、詳しくは図４において後述するが、開閉パネル部材１７の背面側に取り付けられている。発射装置４０２の背面の図中の左上部には、ロータリーソレノイド１０４（図４参照）の後部が突出している。このロータリーソレノイド１０４の突出は、開閉パネル部材１７の閉止時には、前面枠３の発射装置収容部３１が備える挿通孔３１ａ（図５参照）に収容される。
【００６４】
また、開閉パネル部材１７は、背面側の図中右端に、前面枠３が備える被軸着部３７に軸着する軸着部５０を備える。軸着部５０は、上面に軸着部ヒンジ孔５１を備え、下面には軸着部ヒンジ軸５２の図示しない下端５２ｂが突出している。さらに、軸着部上部５０ａ、軸着部中部５０ｂ及び軸着部下部５０ｃから構成される軸着検出部５５並びに操作開口５４を備える。
【００６５】
軸着部５０については、詳しくは図６において説明する。軸着検出部５５については、詳しくは図７において説明する。
【００６６】
次に、球貯留皿１６に貯留された遊技球を発射装置４０２へ供給する球送り機構１８及び遊技球を遊技領域７に発射する発射装置４０２について説明する。
【００６７】
図４は、本発明の第１の実施の形態の開閉パネル部材１７の背面の球送り機構１８及び発射装置４０２の説明図である。
【００６８】
図４に示すように、前面枠３の下方の開閉パネル部材１７には、裏面側に球送り機構１８が取り付けられており、さらに重ねて覆うように発射装置４０２が取り付けられている。
【００６９】
球送り機構１８は、開閉パネル部材１７の正面（図４奥側）に配置されている球貯留皿１６に連通する供給口（図示省略）から発射球送り込み口１８１へ遊技球を１個ずつ送り出す機能を備える。
【００７０】
球送り機構１８には、遊技球を１個のみ受け入れ可能な断面コ字状の球受け凹部１８２ａを備える球送り部材１８２が取付軸１８２ｂを中心にして上下に回動可能に軸着されている。
【００７１】
通常時には球受け凹部１８２ａの後方開口が、発射球送り込み口１８１に隣接して送球状態である球送り部材１８２の上面を、電磁石１８３が吸引することによって球送り部材１８２ａが取付軸１８２ｂを中心に上方に回動し、球受け凹部１８２ａの前方開口が球貯留皿１６と連通する供給口に隣接する受球状態に変換される。
【００７２】
すなわち、球送り機構１８の駆動源である電磁石１８３がＯＮとなって球送り部材１８２が吸着されて上昇することによって、通常時である送球状態から受球状態に変換され、球貯留皿１６側の供給口から１個の遊技球が球受け凹部１８２ａに送り込まれる。
【００７３】
そして、電磁石１８３がＯＦＦとなって球送り部材１８２が開放されると、球送り部材１８２の自重によって取付軸１８２ｂを中心に下方に回動して図４のように送球状態に変換される。これによって、球受け凹部１８２ａに保持された遊技球が、発射球送り込み口１８１を介して開閉パネル部材１７の後方（図４の手前側）の発射装置４０２へ向けて送り出される。
【００７４】
発射装置４０２は、発射ベース部材１０１の四隅のネジ止め穴１０８ａ〜１０８ｄ及び開閉パネル部材のネジ受け部１７８ａ〜１７８ｄを用いて、開閉パネル部材１７にネジ止めによって固定されている。発射ベース部材１０１は、例えば金属製の板材を加工して形成することができる。
【００７５】
発射装置４０２は、発射ベース部材１０１の前面側に、遊技球を弾発する弾発部材１０２と、該弾発部材１０２によって弾発された遊技球を発射通路８へガイドする発射球ガイド部材１０３を設け、発射ベース部材１０１の裏面側に、弾発部材１０２を駆動する駆動源であるロータリーソレノイド１０４を設けたものである。
【００７６】
弾発部材１０２は、略く字状に屈曲した部材で、例えば、上部に設けた回動軸がロータリーソレノイド１０４の駆動軸と連結されている。これによって、ロータリーソレノイド１０４の駆動によって弾発部材１０２の下方部である自由端側が回動すると、弾発部材１０２に設けた弾発部１０ａが発射球ガイド部材１０３の下部開口から突入し、発射位置にて待機する遊技球を弾発する。
【００７７】
なお、弾発部材１０２の回動範囲は、弾性素材で形成した弾発側ストッパ部材１０７ａと待機側ストッパ部材１０７ｂによって規制される。
【００７８】
前述したように、軸着部５０は、操作開口５４を備える。操作開口５４の内部には、開閉パネル部材１７を前面枠３に取り付ける操作をするための操作部５２ａが操作可能に配置されている。開閉パネル部材１７の前面枠３への取り付け操作は、詳しくは図６において説明する。
【００７９】
次に、開閉パネル部材１７の閉止時に発射装置４０２が収容される前面枠３側の部分の周囲の構造について説明する。
【００８０】
図５は、本発明の第１の実施の形態の前面枠３に設けられた発射装置収容部３１の説明図である。
【００８１】
発射装置収容部３１は、前面枠３の軸着側（図５においては左側）下部に形成され、開閉パネル部材１７の閉止時に、発射装置４０２を収容可能な形状である後方への窪みによって発射装置４０２を収容する。
【００８２】
また、発射装置収容部３１は、挿通孔３１ａを開設することで、ロータリーソレノイド１０４ａが挿通孔３１ａから裏面へ延出でき、発射ベース部材１０１の背面が発射装置収容部３１に当着するように発射装置４０２を収容できる。
【００８３】
発射装置収容部３１には、発射ベース部材１０１を収容するときに、発射装置収容部３１の下壁の上面側には、後方に向って突出量が増大する緩やかな傾斜の規制手段３３が所定数（例えば３箇所）、また、発射装置収容部３１の左側壁には、規制手段３２が所定数（例えば４箇所）、発射ベース部材１０１の側部に接するように設けられている。
【００８４】
このように、規制手段３２及び３３によって、開閉パネル部材１７の閉止状態時において発射装置収容部３１が発射装置４０２を収容するときに、発射装置４０２の位置が固定される。
【００８５】
発射装置収容部３１のさらに軸着側には、前面枠３に開閉パネル部材１７を取り付けるための被軸着部３７が設けられている。被軸着部３７は、上部下面に被軸着部ヒンジ軸３０を備え、下部に被軸着部ヒンジ孔３９を備える。また、被軸着部３７は、上部上面に、ガラス枠９が左側下部に備えるヒンジと嵌合することによってガラス枠９を前面枠３に取り付けるためのヒンジ軸４４ａ１を備える。被軸着部３７については、詳しくは図６において後述する。
【００８６】
次に、開閉パネル部材５の軸着部５０及び前面枠３の被軸着部３７について説明する。
【００８７】
図６は、本発明の第１の実施の形態の軸着部５０及び被軸着部３７の説明図である。
【００８８】
軸着部５０は、上面に軸着部ヒンジ孔５１を備え、下面には軸着部ヒンジ軸５２の下端５２ｂが突出している。
【００８９】
通常時におけるヒンジ軸５２は、コイルスプリング５３によって下方に付勢されることによって軸着部５０の下面より突出している。このヒンジ軸５２の上部を屈曲させて形成した操作部５２ａを操作開口５４から手指を差し込んで持ち上げることによって、ヒンジ軸５２の下端５２ｂが軸着部５０の下面から引っ込むように構成されている。これによって、開閉パネル部材１７を前面枠３に着脱することが可能となる。
【００９０】
被軸着部３７は、導電性素材（例えば、金属製）の略コ字状の部材であって、上部下面に被軸着部ヒンジ軸３０を備え、下部に被軸着部ヒンジ孔３９を備える。また、図５において前述したように、被軸着部３７は、上部上面にヒンジ軸４４ａ１を備える。
【００９１】
開閉パネル部材１７を前面枠３に取り付けるには、まず、操作部５２ａを持ち上げてヒンジ軸５２の下端５２ｂを引っ込ませてから、被軸着部３７の上部下面の被軸着部ヒンジ軸３０を軸着部５０の上面の軸着部ヒンジ孔５１に嵌合させる。次に、ヒンジ軸５２の下端５２ｂが突出する位置と被軸着部３７の下部の被軸着部ヒンジ孔３９の位置とを合わせる。その後、操作部５２ａの手を離して下端５２ｂを突出させて下端５２ｂを被軸着部ヒンジ孔３９に嵌合させることによって、開閉パネル部材１７の取り付けが完了する。
【００９２】
以上によって開閉パネル部材１７は、前面枠３の被軸着部３７に対して軸着部５０によって軸着されて回動可能に保持される。
【００９３】
また、軸着部５０は、軸着部上部５０ａ、軸着部中部５０ｂ及び軸着部下部５０ｃから構成される軸着検出部５５（図７参照）を備える。軸着部上部５０ａは、軸着部５０の上部を形成している。軸着部中部５０ｂは、軸着部５０の中部を形成している。軸着部下部５０ｃは、軸着部５０の下部を形成している。
【００９４】
軸着部上部５０ａ及び軸着部下部５０ｃは、導電性素材（例えば、金属製）で構成されている。一方、軸着部中部５０ｂ及び開閉パネル部材１７は、絶縁性素材（例えば、樹脂製）である。従って、軸着部上部５０ａと軸着部下部５０ｃとは、軸着部中部５０ｂ及び開閉パネル部材１７によって互いに絶縁されている。
【００９５】
また、被軸着部３７は、導電性素材（例えば、金属製）が用いられ、さらに、導電性素材（例えば、金属製）の摺接部材３７ａ〜３７ｄを備えている。なお、図２及び図５では、摺接部材３７ａ〜３７ｄの図示を省略している。
【００９６】
摺接部材３７ａ〜３７ｄは、軸着部５０が軸着された場合に摺接部材３７ａ及び３７ｂは軸着部上部５０ａと、摺接部材３７ｃ及び３７ｄは軸着部下部５０ｃとそれぞれ摺接可能に配置されている。さらに、摺接部材３７ａ〜３７ｄ自体も板バネ状に形成され、付勢力によって摺接部材３７ａ〜３７ｄ自体を軸着部５０に押し付けることで、より確実に摺接するように構成されている。
【００９７】
従って、開閉パネル部材１７の軸着部５０を、前面枠３の被軸着部３７に軸着することによって、開閉パネル部材１７が取り外されていた時は絶縁されていた軸着部上部５０ａと軸着部下部５０ｃとが、被軸着部３７及び摺接部材３７ａ〜３７ｄを介して導通する。これによって軸着検出部５５は、軸着部５０が被軸着部３７へ導通されたことを検出することができる。
【００９８】
なお、本実施の形態では、摺接部材の配置は、摺接部材３７ａ〜３７ｄのように被軸着部３７の上部に１個、側部に２個、下部に１個としたがこれに限らず、例えば、側部のみに２個設けてもよく、その他の数の摺接部材を用いてもよい。
【００９９】
また、摺接部材３７ａ〜３７ｄは、軸着部５０に押し付けるために板バネとしたがこれに限らず、例えば被軸着部ヒンジ軸３０及び軸着部上部孔５１の間並びに被軸着部下部孔３９及び軸着部下部軸５２ｂの間に、導電性素材（例えば、金属製）のバネワッシャ等のワッシャや軸受け等を介装して、被軸着部ヒンジ軸３０及び軸着部５０の上面部並びに被軸着部３７の下面部及び軸着部下部軸５２ｂを電気的に接続することによって、軸着部上部５０ａと軸着部下部５０ｃとを導通可能にしてもよい。
【０１００】
次に、発射装置４０２の発射規制及び開閉パネル部材１７の開放検出の電気的構成について説明する。
【０１０１】
図７は、本発明の第１の実施の形態の発射制御装置４００及び開閉パネル部材１７のブロック図である。また、図８は、本発明の第１の実施の形態の開閉検出スイッチ１７５ａの説明図である。
【０１０２】
本実施の形態では、発射制御装置４００に接続されているコネクタ４０９と開閉パネル部材１７が備えるコネクタ１７９とが接続されることによって、発射制御装置４００と開閉パネル部材１７とが電気的に接続される。
【０１０３】
発射制御装置４００は、遊技者による発射操作部１９の操作に基づく発射装置４０２による遊技球の発射を制御する制御装置で、ＣＰＵ４０１、ＲＯＭ４０２、ＲＡＭ４０３、インターフェース４０４、バス４０５及びコネクタ４０９を備える。発射制御装置４００は、発射規制手段として機能する。
【０１０４】
ＣＰＵ４０１は、演算部を備え、発射装置４０２による遊技球の発射制御を司る演算処理装置である。ＲＯＭ４０２は、制御処理を実行するためのプログラムや制御データ等の発射制御のための不変の情報を記憶しているメモリである。ＲＡＭ４０３は、制御時にワークエリアとして利用されるメモリである。
【０１０５】
インターフェース４０４は、発射制御装置４００が他の機器と信号を送受信する入出力ポートである。
【０１０６】
コネクタ４０９は、開閉パネル部材１７側のコネクタ１７９と接続可能である。コネクタ４０９とコネクタ１７９とが接続されることによって、発射制御装置４００と、開閉パネル部材１７に配置されている軸着検出部５５、開放検出スイッチ１７５ａ、触接検出スイッチ１９１ａ、発射操作検出スイッチ１９ａ、球送り機構１８の電磁石１８３及び発射装置４０２のロータリーソレノイド１０４とが接続される。
【０１０７】
バス４０５は、ＣＰＵ４０１がデータの読み書きのために使用するアドレスバス及びデータバスから構成される。ＣＰＵ４０１、ＲＯＭ４０２、ＲＡＭ４０３及びインターフェース４０４は、バス４０５によって接続されている。
【０１０８】
開閉パネル部材１７には、軸着検出部５５、開閉検出スイッチ１７５ａ、触接検出スイッチ１９１ａ、発射操作検出スイッチ１９ａ、球送り機構１８が備える電磁石１８３及び発射装置４０２が備えるロータリーソレノイド１０４が配置される。
【０１０９】
軸着検出部５５は、図６で説明したように、開閉パネル部材１７が前面枠３に装着されていることを検出する。
【０１１０】
開閉検出部１７５は、図８に示すように断面が四角形の筒状に形成された壁部１７５ｂを備え、壁部１７５ｂによって凹部１７５ｃの四方を囲むように形成されている。開放検出部１７５は、壁部１７５ｂに囲まれた内側の凹部１７５ｃに開放検出スイッチ１７５ａを備えている。
【０１１１】
開閉検出スイッチ１７５ａは、開閉検出部１７５の凹部１７５ｃの内側に設けられ、開閉パネル部材１７が開放されていることを検出する検出部材である。開閉検出スイッチ１７５ａは、スイッチ本体１７５ａ１及び押ボタン１７５ａ２から構成される。開閉検出スイッチ１７５ａは、押ボタン１７５ａ２が押圧されていない非作用時には閉じており、押ボタン１７５ａ２が押圧されると開放する。
【０１１２】
また、押ボタン１７５ａ２には、開閉パネル部材１７の閉鎖時に前面枠３に配置されている突出部材３５が接触する。このため、開閉パネル部材１７の開放時には、押ボタン１７５ａ２が突出部材３５によって押圧されないので開閉検出スイッチ１７５ａが閉じているが、開閉パネル部材１７の閉止時には、押ボタン１７５ａ２が突出部材３５によって押圧されて開閉検出スイッチ１７５ａが開放される。これによって開閉検出スイッチ１７５ａは、突出部材３５が開閉検出スイッチ１７５ａに接触していることを検出可能である。
【０１１３】
また、図８のように、開閉検出スイッチ１７５ａの押ボタン１７５ａ２は、周囲を壁部１７５ｂによって覆われている。これによって遊技場の店員等が開閉パネル部材１７を開放状態で作業をしているときに、体の一部などが誤って開放検出スイッチ１７５ａに触れてしまうことによって発射装置４０２が誤作動するトラブルが防止される。
【０１１４】
触接検出スイッチ１９１ａは、発射操作部１９に遊技者の手が触れていることを、静電容量の変化によって検出する。
【０１１５】
発射操作検出スイッチ１９ａは、発射操作部１９が遊技者によって回動操作されていることを可変抵抗を用いて検出する。
【０１１６】
電磁石１８３は、前述したように、球送り機構１８が備える球送り部材１８２を駆動して、遊技球を発射装置４０２に送り出す。また、ロータリーソレノイド１０４は、前述したように、発射装置４０２が備える弾発部材１０２を駆動して遊技球を弾発する。
【０１１７】
なお、軸着検出部５５及び開閉検出スイッチ１７５ａは、直列に接続されて回路１７ａを構成している。このため、開閉パネル部材１７が前面枠３に軸着されて軸着検出部５５が導通状態になると、開閉検出スイッチ１７５ａが通常時に閉じているため、開閉パネル部材１７の軸着直後は、回路１７ａ全体としては閉じた状態になる。
【０１１８】
また、軸着された開閉パネル部材１７を閉鎖すると、突出部材３５によって押圧されて開閉検出スイッチ１７５ａが開くため、回路１７ａは開いた状態になる。
【０１１９】
また、触接検出スイッチ１９１ａによって構成されている回路１７ｂは、遊技者が発射操作部１９に手を触れていることを検出している場合は、人体を経由して閉じており、遊技者が発射操作部１９に手を触れていることが検出されない場合は開かれる。
【０１２０】
次に、本実施の形態の発射制御装置４００の動作について説明する。
【０１２１】
発射制御装置４００には、発射操作検出スイッチ１９ａから出力される遊技者の発射操作部１９の回動操作及び回動操作量を検出する検出信号がインターフェース４０４を介して入力される。
【０１２２】
発射制御装置４００は、発射操作検出スイッチ１９ａからの検出信号に基づいて、回動操作に応じて電磁石１８３を作動させ、回動操作量に応じてロータリーソレノイド１０４を作動させる制御を行う。
【０１２３】
しかし、発射操作検出スイッチ１９ａが回動操作を検出していても、回路１７ａが閉じているか、回路１７ｂが開いているかの少なくとも一方が満たされている場合には、発射制御装置４００は、電磁石１８３及びロータリーソレノイド１０４を作動させない。これによって、遊技球は発射装置４０２から発射されない。
【０１２４】
以上説明したように、第１の実施の形態では、開閉パネル部材１７の開放状態を検出する開閉検出スイッチ１７５ａによって開閉パネル部材１７が前面枠３から開放されていることを検出した場合に、発射制御装置４００が発射装置４０２による遊技球を発射するための電磁石１８３及びロータリーソレノイド１０４を作動させないので、開閉パネル部材１７が開放中には発射装置４０２が作動しないため、遊技球が不用意に発射されることがない。
【０１２５】
すなわち、開閉パネル部材１７が軸着されているが開放状態の場合には、発射装置４０２は作動しないことから、前面枠３を開放してメンテナンス作業をしている際に誤って遊技球が発射されるトラブルを防止することができる。
【０１２６】
また、前面枠３の突出部材３５が挿入される位置に、壁部１７５ｂによって形成された凹部１７５ｃ内に開閉検出スイッチ１７５ａが設けられているため、係員が作業中に開閉検出スイッチ１７５ａに触れてしまうことを防止できる。
【０１２７】
また、開閉パネル部材１７は前面枠３と係合するための係止部１７１及び１７６を備え、前面枠３は係止部１７１と係合する係止受け部３６及び係止部１７６と係合する係止受け部３８を備え、係止部１７１及び１７６は、開閉パネル部材１７に設けられた開閉検出部１７５の近傍に配置されているので、係止部１７１及び１７６の作用によって、開閉パネル部材１７の閉止時の開閉検出スイッチ１７５ａと突出部材３５との相対的な位置が安定し、開閉検出スイッチ１７５ａと突出部材３５との接触の開閉検出スイッチ１７５ａによる検出が確実になる。
【０１２８】
また、開閉パネル部材１７は、発射操作部１９を備えてユニットして構成されるとともに、前面枠３に対して軸着するための軸着部５０と、軸着部５０が前面枠３に軸着されていないことを検出する軸着検出部５５と、を備え、軸着検出部５５によって軸着部５０が前面枠３に軸着されていないことを検出した場合は、開閉検出部によって開閉パネル部材１７が前面枠３から開放されていると検出したときでも、発射装置４０２による遊技球の発射が可能であるので、開閉パネル部材１７が前面枠３に取り付けられていない場合は、ユニット化された開閉パネル部材１７単体で発射装置４０２を作動させる検査が可能となる。
【０１２９】
つまり、開閉パネル部材１７が開発される設計段階や、工場内での開閉パネル部材１７の生産工程又は検査工程で、開閉パネル部材１７に設けた発射操作部１９や発射装置４０２の作動検査をする時には、開閉パネル部材１７のコネクタ１７９を、検査用の発射制御装置（発射制御装置４００と同等の制御装置）のコネクタ４０９に差し込んで作業を行うことになるが、その際には、開閉パネル部材１７が軸着部５０によって前面枠３に軸着されていない状態となるため、開閉検出スイッチ１７５ａの検出状態に拘らず、発射操作部１９の操作により発射装置４０２が作動可能となる。
【０１３０】
従って、発射装置４０２と発射操作部１９が設けられてユニット化された開閉パネル部材１７は、前面枠３に取り付けなくても、開閉パネル部材１７のユニット単体で検査を行うことができるため、製造時の作業を効率化することができる。
【０１３１】
また、前面枠３は、開閉パネル部材１７の軸着部５０と係合する導電性素材（例えば、金属製）のコ字状の被軸着部３７を備えている。開閉パネル部材１７の軸着部５０は、両端に互いに絶縁状態となる、導電性素材（例えば、金属製）の軸着部上部５０ａ及び軸着部下部５０ｃが形成されている。そして、軸着部５０が被軸着部３７へ挿入されると、軸着部５０ａの両端に形成された軸着部上部５０ａ及び軸着部下部５０ｃ同士が、被軸着部３７を介して導通状態となる。これによって、軸着部５０が前面枠３に軸着されている状態が検出されるので、軸着状態を検出する機能を有する。また、被軸着部３７を金属製にした場合にはで、導電性を備えるとともに耐久性を高めることができ、設計上より経済的である。
【０１３２】
（第２の実施の形態）
次に、第２の実施の形態について説明する。
【０１３３】
第２の実施の形態は、開閉検出スイッチ１７５ａの構成を２枚の導電性素材（例えば、金属製）の板を備える接点１７５ａ３及び１７５ａ４と簡素な構造とし、突出部材３５を導電素材（例えば、金属製）にして、開閉パネル部材１７の閉止時にはこれらが嵌合されるように構成している点が異なる。なお、第１の実施の形態と同一の作用を行う構成には同一の符号を付し、その説明を省略する。
【０１３４】
第２の実施の形態の発射装置４０２の発射規制及び開閉パネル部材１７の開放検出の電気的構成について説明する。
【０１３５】
図９は、本発明の第２の実施の形態の開閉検出スイッチ１７５ａの説明図である。また、図１０は、本発明の第２の実施の形態の発射制御装置４００及び開閉パネル部材１７の発射規制及び開放検出のブロック図である。
【０１３６】
本実施の形態の開閉検出スイッチ１７５ａは、図９に示すように開閉検出部１７５が備える凹部１７５ｃの内側に設けられ、開閉パネル部材１７が開放されていることを検出する。開閉検出スイッチ１７５ａは、導電性素材（例えば、金属製）の接点１７５ａ３及び１７５ａ４から構成される。
【０１３７】
開閉検出スイッチ１７５ａは、検出物体が触れていない非作用時には接点１７５ａ３及び１７５ａ４は絶縁されており、開閉パネル部材１７の閉止時に前面枠３に配置されている導電性素材（例えば、金属製）の突出部材３５が嵌合して接触可能に構成されている。言い換えれば、接点１７５ａ３及び１７５ａ４により導通検出部が構成され、この導通検出部に突出部材３５の接触作用部が嵌合して接触する構成となっている。
【０１３８】
このため、開閉検出スイッチ１７５ａは、開閉パネル部材１７の閉止時には、接点１７５ａ３及び１７５ａ４の間に導電性を備える突出部材３５が挿入されることによって、接点１７５ａ３及び１７５ａ４の間が導通可能となって、開閉検出スイッチ１７５ａは閉じられた状態になる。このようにして、発射制御装置４００は、開閉検出スイッチ１７５ａの導通状態によって開閉パネル部材１７の開放状態を検出することができる。
【０１３９】
また、図９のように開閉検出スイッチ１７５ａの接点１７５ａ３及び１７５ａ４は、周囲を開閉検出部１７５が備える壁部１７５ｂによって覆われており、さらに、絶縁された接点１７５ａ３及び１７５ａ４の導通の可否によって開閉パネル部材１７の開放状態を検出する構成である。
【０１４０】
これによって、人体が接点１７５ａ３及び１７５ａ４に触れた場合には、導電性素材の突出部材３５が接触した場合に比較して抵抗値が大きいため、突出部材３５が接触した場合と例えば人体等が触れた場合との判別が容易であるため、遊技場の店員等が開閉パネル部材１７を開放状態で作業をしているときに体の一部などが誤って開放検出スイッチ１７５ａに触れてしまい発射装置４０２が誤作動するトラブルが防止される。
【０１４１】
なお、本実施の形態では、図１０に示すように、軸着検出部５５及び開閉検出スイッチ１７５ａは、別個にそれぞれ回路１７ｃ及び回路１７ｄを構成している。
【０１４２】
回路１７ｃは、軸着検出部５５が開閉パネル部材１７の前面枠３への軸着を検出すると閉じた状態になり、軸着検出部５５が開閉パネル部材１７の前面枠３への軸着を検出していないと開いた状態になる。
【０１４３】
開閉パネル部材１７が閉止状態になると、開閉検出スイッチ１７５ａの接点１７５ａ３及び１７５ｂ４と突出部材３５とが接触して導通するため、回路１７ｄは、閉じた状態になる。一方、開閉パネル部材１７が開放されると、開閉検出スイッチ１７５ａ３及び１７５ａ４は絶縁されて、回路１７ｄは、開いた状態となる。
【０１４４】
次に、本実施の形態の発射制御装置４００の動作について説明する。
【０１４５】
発射制御装置４００には、発射操作検出スイッチ１９ａから出力される遊技者の発射操作部１９の回動操作及び回動操作量を検出する検出信号がインターフェース４０４を介して入力される。発射制御装置４００は、発射操作検出スイッチ１９ａからの検出信号に基づいて、回動操作に応じて電磁石１８３を作動させ、回動操作量に応じてロータリーソレノイド１０４を作動させる制御を行う。
【０１４６】
しかし、第１の実施の形態と同様に、発射操作検出スイッチ１９ａが回動操作を検出していても、回路１７ｂが開いている場合には、発射制御装置４００は、電磁石１８３及びロータリーソレノイド１０４を作動させない。これによって、遊技球は発射装置４０２から発射されない。
【０１４７】
さらに、発射制御装置４００は、これに加えて、発射操作検出スイッチ１９ａが回動操作を検出していても、回路１７ｃ及び回路１７ｄがいずれも開いているか、又は回路１７ｃ及び回路１７ｄがいずれも閉じているかが満たされている場合にも、電磁石１８３及びロータリーソレノイド１０４を作動させず、遊技球は発射されない。
【０１４８】
以上説明したように、第２の実施の形態では、絶縁された接点１７５ａ３及び１７５ａ４の導通の可否によって開閉パネル部材１７の開閉を検出する構成であるので、人体が接点１７５ａ３及び１７５ａ４に触れても導電性素材の突出部材３５より抵抗値が大きいため、突出部材３５が接点１７５ａ３及び１７５ａ４に接触した場合と人体等が触れた場合との判別が容易である。   これによって、例えば係員が開閉パネル部材１７を開放状態でメンテナンス作業をしているときに、体の一部などが誤って開放検出スイッチ１７５ａに触れてしまい発射装置４０２が誤作動するトラブルが生じる可能性がより低減される。
【０１４９】
また、開閉検出スイッチ１７５ａが２枚の導電性素材（例えば、金属製の板）である接点１７５ａ３及び１７５ａ４によって構成されるので、簡素な構成によって本発明の効果が実現可能となる。
【０１５０】
なお、今回開示した実施の形態は、全ての点で例示であって制限的なものではない。また、本発明の範囲は前述した発明の説明ではなくて特許請求の範囲によって示され、特許請求の範囲と均等の意味及び内容の範囲での全ての変更が含まれることが意図される。
【産業上の利用可能性】
【０１５１】
以上のように、本発明は、開閉機構に球発射機構を備えたパチンコ機等の遊技機に適用することができる。
【図面の簡単な説明】
【０１５２】
【図１】本発明の第１の実施の形態の遊技機の構成を示す正面図である。
【図２】本発明の第１の実施の形態の遊技機のガラス枠及び開閉パネル部材が取り外された前面枠の正面図である。
【図３】本発明の第１の実施の形態の開閉パネル部材の背面斜視図である。
【図４】本発明の第１の実施の形態の開閉パネル部材の背面の球送り機構及び発射装置の説明図である。
【図５】本発明の第１の実施の形態の本体枠に設けられた発射装置収容部の説明図である。
【図６】本発明の第１の実施の形態の軸着部及び被軸着部の説明図である。
【図７】本発明の第１の実施の形態の発射制御装置及び開閉パネル部材のブロック図である。
【図８】本発明の第１の実施の形態の開閉検出スイッチの説明図である。
【図９】本発明の第２の実施の形態の開閉検出スイッチの説明図である。
【図１０】本発明の第２の実施の形態の発射制御装置及び開閉パネル部材のブロック図である。
【符号の説明】
【０１５３】
１  遊技機
２  本体枠
３  前面枠
５  遊技盤
１６  球貯留皿
１７  開閉パネル部材（開閉部材）
１８  球送り機構
１９  発射操作部
３５  突出部材
３６、３８  係止受け部（被係合部）
３７  被軸着部
５０  軸着部
５０ａ  軸着部上部
５０ｂ  軸着部中部
５０ｃ  軸着部下部
５５  軸着検出部
１７１、１７６  係止部（係合部）
１７５  開閉検出部
１７５ａ  開閉検出スイッチ
１７５ａ３、１７５ａ４  接点（導通検出部）
１７５ｂ  壁部
１７５ｃ  凹部
４００  発射制御装置
４０２  発射装置
【図１】
2007289476.tif 000003
【図２】
2007289476.tif 000004
【図３】
2007289476.tif 000005
【図４】
2007289476.tif 000006
【図５】
2007289476.tif 000007
【図６】
2007289476.tif 000008
【図７】
2007289476.tif 000009
【図８】
2007289476.tif 000010
【図９】
2007289476.tif 000011
【図１０】
2007289476.tif 000012